(57)【特許請求の範囲】
【請求項１】
径方向に分割された複数の記録領域を有する光学式ディスク記録媒体にデータを記録するデータ記録装置であって、
前記複数の記録領域それぞれに対応し、相互に位相が同期する複数の記録用クロック信号を生成する手段と、
前記複数の記録領域それぞれに記録する記録データを、前記複数の記録用クロック信号に同期して複数の所定の記録信号それぞれに変換する手段と、
前記複数の記録領域における記録データの周方向の記録位置が、その読み出し時に各記録領域から同期したタイミングでデータを読み出し得る位置に相対的に揃うように、前記複数の記録信号それぞれに対応する前記記録用クロック信号に同期して、前記複数の記録領域それぞれに前記複数の記録信号それぞれを並行して同時に記録する手段と
を有するデータ記録装置。
【請求項２】
前記複数の記録用クロック信号を生成する手段が、前記複数の記録領域のうち一方の記録領域に対して記録データを記録するためのクロックを他方の記録領域に対して記録データを記録するためのクロックから作り出す、
請求項１に記載のデータ記録装置。
【請求項３】
前記一方の記録領域は内周記録領域であり、前記他方の記録領域は外周記録領域である、
請求項２に記載のデータ記録装置。
【請求項４】
径方向に分割された複数の記録領域を有する光学式ディスク記録媒体にデータを記録するデータ記録方法であって、
前記複数の記録領域それぞれに対応し、相互に位相が同期する複数の記録用クロック信号を生成し、
前記複数の記録領域それぞれに記録する記録データを、前記複数の記録用クロック信号に同期して複数の所定の記録信号それぞれに変換し、
前記複数の記録領域における記録データの周方向の記録位置が、その読み出し時に各記録領域から同期したタイミングでデータを読み出し得る位置に相対的に揃うように、前記複数の記録信号それぞれに対応する前記記録用クロック信号に同期して、前記複数の記録領域それぞれに前記複数の記録信号それぞれを並行して同時に記録する、
データ記録方法。
【請求項５】
前記複数の記録用クロック信号を生成する際に、前記複数の記録領域のうち一方の記録領域に対して記録データを記録するためのクロックを他方の記録領域に対して記録データを記録するためのクロックから作り出す
請求項４に記載のデータ記録方法。
【請求項６】
前記一方の記録領域は内周記録領域であり、前記他方の記録領域は外周記録領域である、
請求項５に記載のデータ記録方法。
【請求項７】
径方向に分割された複数の記録領域を有する光学式ディスク記録媒体であって、
前記複数の記録領域それぞれに記録される記録データは、前記複数の記録領域それぞれに対応し、相互に位相が同期する複数の記録用クロック信号に同期して複数の所定の記録信号それぞれに変換されたものであって、
前記複数の記録領域における記録データの周方向の記録位置が、その読み出し時に各記録領域から同期したタイミングでデータを読み出し得る位置に相対的に揃うように、前記複数の記録用クロック信号に同期して、前記複数の記録領域それぞれに前記複数の記録信号それぞれが記録された
光学式ディスク記録媒体。
【発明の詳細な説明】
【０００１】
【発明の属する技術分野】
本発明は、光学式ディスク記録媒体についてデータの記録・再生を行うデータ再生装置およびデータ記録方法に関する。
【０００２】
【従来の技術および発明が解決しようとする課題】
１度だけデータを書き込み可能な追記型光ディスク、および、何度でもデータを書き込み可能な光磁気ディスク等（光学式ディスク）が、画像処理用あるいは計算機用の記録媒体として盛んに用いられている。
このような光学式ディスクに対してデータの記録・再生を行う光学式ディスク装置は通常、光学式ディスクの記録領域全体を１つの記録領域として取り扱い、レーザー光を照射し、反射されてきたレーザー光を検出する光学系を１組だけ有する。
【０００３】
しかしながら、このように、光学式ディスクの記録領域全体を１つの記録領域として取り扱う場合には、光学系を目的のデータが記録されている位置まで移動させるシークタイムが大きくなる。
また、１組の光学系のみを用いて光学式ディスクからデータを読み出す場合には、読み出し可能なデータのデータレートが制限されてしまう。
【０００４】
これらの問題を解決するためには、光学式ディスクの記録領域を径方向に分割し、この記録領域それぞれに対応する複数の光学系を用いてデータの記録・再生を行うことが考えられる。
このような場合、複数の記録領域それぞれに対して、それぞれ異なる周波数のクロック信号を用いてデータの記録・再生を行う必要がある。
しかしながら、複数の記録領域それぞれに対して相互に同期がとれていないクロック信号を用いてデータを記録すると、複数の記録領域それぞれに記録されるデータの位置の同期が不揃いになり、複数の記録領域それぞれから記録したデータを読み出すタイミングの同期をとることができず、複数の記録領域それぞれから記録したデータに対する誤り訂正処理等が複雑化してしまう。
【０００５】
本発明は上述した従来技術の問題点に鑑みてなされたものであり、光学式ディスクの記録領域全体を１つの記録領域として取り扱う場合に比べて、光学式ディスクに対するシークタイムを短くすることができるデータ再生装置を提供することを目的とする。
また、本発明は、１組の光学系のみを用いる場合に比べて、より高いデータレートで光学式ディスクからデータを読み出すことができるデータ再生装置を提供することを目的とする。
【０００６】
また、本発明は、光学式ディスクの複数の記録領域それぞれに対して異なる周波数でありながら、同期がとれたクロック信号を用いてデータの記録し、複数の記録領域間で記録位置を揃えてデータを記録することができ、複数の記録領域それぞれから同期したタイミングでデータを読み出すことができるデータ記録方法およびデータ再生装置を提供することを目的とする。
また、本発明は、複数のクロック信号を光学式ディスクの複数の記録領域それぞれを用いてデータを再生しても、誤り訂正処理等を複雑化することがないデータ再生装置およびデータ記録方法を提供することを目的とする。
【０００７】
【課題を解決するための手段】
本発明に係るデータ記録装置は、径方向に分割された複数の記録領域を有する光学式ディスク記録媒体にデータを記録する装置であって、前記複数の記録領域それぞれに対応し、相互に位相が同期する複数の記録用クロック信号を生成する手段と、前記複数の記録領域それぞれに記録する記録データを、前記複数の記録用クロック信号に同期して複数の所定の記録信号それぞれに変換する手段と、前記複数の記録領域における記録データの周方向の記録位置が、その読み出し時に各記録領域から同期したタイミングでデータを読み出し得る位置に相対的に揃うように、前記複数の記録信号それぞれに対応する前記記録用クロック信号に同期して、前記複数の記録領域それぞれに前記複数の記録信号それぞれを並行して同時に記録する手段とを有する。
【０００８】
好適には、前記複数の記録用クロック信号を生成する手段が、前記複数の記録領域のうち一方の記録領域に対して記録データを記録するためのクロックを他方の記録領域に対して記録データを記録するためのクロックから作り出す。
【０００９】
本発明に係るデータ記録方法は、径方向に分割された複数の記録領域を有する光学式ディスク記録媒体にデータを記録する方法であって、前記複数の記録領域それぞれに対応し、相互に位相が同期する複数の記録用クロック信号を生成し、前記複数の記録領域それぞれに記録する記録データを、前記複数の記録用クロック信号に同期して複数の所定の記録信号それぞれに変換し、前記複数の記録領域における記録データの周方向の記録位置が、その読み出し時に各記録領域から同期したタイミングでデータを読み出し得る位置に相対的に揃うように、前記複数の記録信号それぞれに対応する前記記録用クロック信号に同期して、前記複数の記録領域それぞれに前記複数の記録信号それぞれを並行して同時に記録する。
【００１０】
好適には、前記複数の記録用クロック信号を生成する際に、前記複数の記録領域のうち一方の記録領域に対して記録データを記録するためのクロックを、他方の記録領域に対して記録データを記録するためのクロックから作り出す。
【００１１】
前記本発明に係るデータ記録装置及びデータ記録方法では、前記一方の記録領域が内周記録領域であっても良く、前記他方の記録領域が外周記録領域であっても良い。
【００１２】
本発明に係る光学式ディスク記録媒体は、径方向に分割された複数の記録領域を有しており、前記複数の記録領域それぞれに記録される記録データは、前記複数の記録領域それぞれに対応し、相互に位相が同期する複数の記録用クロック信号に同期して複数の所定の記録信号それぞれに変換されたものであり、また、前記複数の記録領域における記録データの周方向の記録位置が、その読み出し時に各記録領域から同期したタイミングでデータを読み出し得る位置に相対的に揃うように、前記複数の記録用クロック信号に同期して、前記複数の記録領域それぞれに前記複数の記録信号それぞれが記録される。
【００１６】
このように、本発明に係るデータ記録方法及びデータ記録装置においては、相互に同期する記録用クロック信号を用いて複数の記録領域それぞれに対して記録信号を記録するので、各記録領域における記録データの記録位置が揃う。
従って、本発明に係るデータ記録方法及びデータ記録装置によって光学式ディスクの複数の記録領域に記録された記録データを再生すると、記録データを読み出すタイミングが揃い、複数の記録領域それぞれから得られた記録データのバッファリングおよび復号処理等を、それぞれ同一のタイミングで行うことが可能になる。
【００１７】
【発明の実施の形態】
第１実施形態
以下、本発明の第１の実施の形態を説明する。
図１は、本発明に係る光学式ディスク装置４の構成を示す図である。
【００１８】
図１に示すように、本発明に係るデータ再生装置およびデータ記録方法を実現する光学式ディスク装置４は、ＳＣＳＩコントローラ１８、外周用および外周用のデータ再生装置１０1 ，１０2 、データ出力回路２０、外周用および内周用のＲＦ回路４０４1 ，４０４2 、外周用および内周用の光ヘッド固定部４２1 ，４２2 、内周用および外周用のヘッド可動部４４1 ，４４2 、ディスクサーボ回路４５８の制御にしたがって光磁気ディスク２を回転させるスピンドルモータ４５０、トラッキングサーボ回路４５２、フォーカスサーボ回路４５４、ラジアルサーボ回路４５６およびディスクサーボ回路４５８から構成される。但し、図１においては図示の簡略化のために、データ再生装置１０1 ，１０2 およびデータ出力回路２０、光ヘッド固定部４２1 ，４２2 、および、ヘッド可動部４４1 ，４４2 を１つの構成部分として示してある。
【００１９】
光ヘッド固定部４２1 ，４２2 はそれぞれ、フォトダイオード（ＰＤ）４２２から入力されるＲＦ信号を増幅するプリアンプ４２０、光磁気ディスク２から反射されたレーザー光を検出し、電気的なＲＦ信号に変換するフォトダイオード４２２、ＨＦ重畳回路４２４、記録データを記録・再生するために用いられるレーザー光線を生成するレーザーダイオード（ＬＤ）４２６、および、光学系４２８から構成される。
【００２０】
ヘッド可動部４４1 ，４４2 はそれぞれ、ラジアルサーボ回路４５６の制御に従ってヘッド可動部４４1 ，４４2 の位置を変更するリニアモータ４４０、および、トラッキングサーボ回路４５２およびフォーカスサーボ回路４５４の制御に従って光ヘッド固定部４２1 ，４２2 から入力されたレーザー光の焦点調整を行う光学系４４２から構成される。
【００２１】
光学式ディスク装置４は、これらの構成部分により、記録領域が径方向に２つの領域（外周記録領域２０２および内周記録領域２０４（図２および図３等））に分割された光磁気ディスク２に対して、音声・映像データおよび計算機用のデータ（以下、光磁気ディスク２に対して記録・再生されるデータを「記録データ」と記す）の記録および再生を行う。
【００２２】
光学式ディスク装置４において、システムコントロール回路４０８は、光学式ディスク装置４の各構成部分の動作を制御する。また、システムコントロール回路４０８は、ＳＣＳＩコントローラ１８から入力された記録データをレーザーパワーコントロール回路４０６に対して出力する。
トラッキングサーボ回路４５２およびフォーカスサーボ回路４５４、ラジアルサーボ回路４５６、および、ディスクサーボ回路４５８はそれぞれ、システムコントロール回路４０８の制御に従って、ヘッド可動部４４1 ，４４2 の光学系４４２、ヘッド可動部４４1 ，４４2 のリニアモータ４４０およびスピンドルモータ４５０の動作を制御する。
【００２３】
レーザーパワーコントロール回路４０６は、データ再生装置１０1 ，１０2 （同期信号生成回路１０８1 ，１０８2 （図２））から入力されるクロック信号Ｓ１０８1 ，Ｓ１０８2 それぞれに同期して、システムコントロール回路４０８から入力された記録データを、光磁気ディスク２（外周記録領域２０２および内周記録領域２０４）にそれぞれ記録するための所定の記録信号に変換し、ＨＦ重畳回路４２４に対して出力する。
【００２４】
また、レーザーパワーコントロール回路４０６は、光磁気ディスク２から記録データを読み出す際に光磁気ディスク２（外周記録領域２０２および内周記録領域２０４）に照射するレーザー光の強度を調節する。
また、レーザーパワーコントロール回路４０６は、ＲＦ回路４０４1 ，４０４2 から入力されるＲＦ信号に基づいて、光磁気ディスク２に記録データを書き込む際に光磁気ディスク２（外周記録領域２０２および内周記録領域２０４）に照射するレーザー光の強度を調節する。
ＨＦ重畳回路４２４は、レーザーパワーコントロール回路４０６から入力された記録信号に高周波信号（ＨＦ）を重畳し、レーザーダイオード４２６に対して出力する。
【００２５】
図２は、図１に示した光学式ディスク装置４が光磁気ディスク２から記録データを再生する際に用いられる主要な構成部分の構成を示す図である。
図２に示すように、光学式ディスク装置４が光磁気ディスク２から記録データを再生する場合、レーザーパワーコントロール回路４０６およびスピンドルモータ４５０等の他に、それぞれヘッド可動部４４1 ，４４2 を介して光磁気ディスク２にレーザー光を照射し、光磁気ディスク２から返ってきたレーザー光を検出し、ＲＦ信号を生成する光ヘッド固定部４２1 ，４２2 、記録データが記録・再生される光磁気ディスク２の部分と光ヘッド固定部４２1 ，４２2 との間でレーザー光を導くヘッド可動部４４1 ，４４2 、ＲＦ回路４０４1 ，４０４2 、データ再生装置１０1 ，１０2 、データ出力回路２０およびＳＣＳＩコントローラ１８が動作する（以下、光学式ディスク装置４の構成部分の内、これらの各構成部分をデータ再生装置１と記す）。
【００２６】
データ再生装置１において、ＲＦ回路４０４1 ，４０４2 はそれぞれ、光ヘッド固定部４２1 ，４２2 のフォトダイオード４２２が生成したＲＦ信号を増幅する再生アンプ１００1 ，１００2 、増幅したＲＦ信号を等化処理するイコライザ回路（ＥＱ回路）１０２1 ，１０２2 から構成される。
【００２７】
データ再生装置１０1 ，１０2 はそれぞれ、コンパレータ回路１０４1 ，１０４2 、データラッチ回路１０６1 ，１０６2 、同期信号生成回路１０８1 ，１０８2 、復号回路１１０1 ，１１０2 およびＦＩＦＯ回路１１２1 ，１１２2 ，１１４1 ，１１４2 から構成される。
データ出力回路２０は、クロック生成回路１２、ＥＣＣ処理回路１４およびシリアル／パラレル変換回路（ＳＰＣ）１６から構成される。
【００２８】
図３は、図１および図２に示した光磁気ディスク２に設けられた外周記録領域２０２および内周記録領域２０４を示す図である。
図３に示すように、光磁気ディスク２の記録領域は、径方向に外周記録領域２０２と内周記録領域２０４に分割されており、ＲＦ回路４０４1 ，４０４2 およびデータ再生装置１０1 ，１０2 は、それぞれ外周記録領域２０２および内周記録領域２０４に記録された記録信号を読み出して記録データを再生する。
光磁気ディスク２（外周記録領域２０２および内周記録領域２０４）には、スパイラル状にトラックが設けられており、トラックはセクタａに分割されて用いられる。
【００２９】
図４は、図３に示した光磁気ディスク２のトラックに設けられたセクタａの構成を示す図である。
図４に示すように、光磁気ディスク２のトラックに設けられたセクタａは、光磁気ディスク２のトラックに予め形成された（プリコードされた）５５バイトのアドレス部、２１（１５）バイトのＡＬＰＣ領域、１８（１２）バイトのＶＦＯ４領域および２，９７８（２０２６）バイトのデータ領域から構成される。なお、図４に係る説明においては、（  ）外の数値は外周記録領域２０２の数値を示し、（  ）内の数値は内周記録領域２０４の数値を示す。
【００３０】
アドレス部は、５バイトのセクタマーク領域ＳＭ、１２バイトのＶＦＯ１領域、８バイトのＶＦＯ２領域、８バイトのＶＦＯ３領域、それぞれ１バイトのＡＭ１領域、ＡＭ２領域、ＡＭ３領域および後置データ領域ＰＡから構成される。
【００３１】
ＩＤ１領域、ＩＤ２領域およびＩＤ３領域（以下、これらの領域をまとめて「ＩＤ領域」と記す）は、図４の左上に示すように、２バイトのトラック番号領域、１バイトのセクタ番号領域、および、２バイトのＣＲＣ領域、および、後置データ領域ＰＡ（定数データ００ｈ）から構成される（なお、数値００〜ＦＦの後に付された「ｈ」は１６進数を示す示す）。
データ領域は、図４の右上に示すように、同期信号領域（ＳＹＮＣ）、および、データ領域（ＤＡＴＡ）と再同期信号領域とが交互に繰り返されたデータ領域に後置データ領域ＰＡ（定数データ００ｈ）が後置された構成となっている。
【００３２】
図４に示した光磁気ディスク２のセクタａの主な領域に記録されるデータを説明する。
セクタマーク領域ＳＭには、セクタａの先頭を示すデータが書き込まれる。
ＶＦＯ１領域、ＶＦＯ２領域、ＶＦＯ３領域およびＶＦＯ４領域（以下、これらの領域をまとめて「ＶＦＯ領域」と記す）には、例えば５５ｈあるいはＡＡｈといった、ビットパターンが頻繁に変化するデータが書き込まれており、これらの領域から得られたＲＦ信号は、主に、同期信号生成回路１０８1 ，１０８2 においてクロック信号Ｓ１０８1 ，Ｓ１０８2 の再生のために用いられる。従って、ＶＦＯ領域のデータは実効的な意味を有さない。なお、図８に示して後述するように、クロック信号Ｓ１０８1 ，Ｓ１０８2 の周波数は異なっており、例えばそれぞれ４６．９０２２４ＭＨｚ，３２．１１４８８ＭＨｚである。
ＡＭ１領域、ＡＭ２領域およびＡＭ３領域には、続く領域がＩＤ領域であることを示すデータが書き込まれる。
【００３３】
ＩＤ領域のトラック番号領域には、セクタａが属するトラックの番号が書き込まれ、セクタ番号領域にはセクタａの番号が書き込まれ、ＣＲＣ領域にはトラック番号領域およびセクタ番号領域に書き込まれたデータの誤り訂正のためのＣＲＣ符号が書き込まれ、後置データ領域ＰＡにはＣＲＣ領域に後置された定数データを、例えばＲＬＬ（１，７）符号化したデータ（符号化定数データ）が書き込まれる。
【００３４】
ここで、符号化定数データは４ビットの数値０に対応する６ビットとなるので、余りの４ビットは任意のデータとする。
後置データ領域ＰＡに書き込まれた符号化定数データは、ＣＲＣ領域に書き込まれたＣＲＣ符号の最後の２ビットをＲＬＬ（１，７）復号するために必要となるデータである。
このように、ＶＦＯ領域、ＡＭ領域およびＩＤ領域として、同じデータを３回、アドレス領域にプリコードするのは、これらのデータの信頼性確保のためである。
【００３５】
データ領域の同期信号領域ＳＹＮＣには、同期検出に用いられるデータが書き込まれる。
データ領域には、記録データを、例えばＲＬＬ（１，７）符号化により符号化した符号化データが書き込まれる。
再同期信号領域ＲＥＳＹＮＣには、再同期検出に用いられるデータが書き込まれる。
後置データ領域ＰＡには、符号化定数データが書き込まれる。後置データ領域ＰＡに書き込まれた符号化定数データは、データ領域に書き込まれたデータを復号するために必要なデータである。
【００３６】
再び図２を参照して、データ再生装置１の各構成部分を説明する。
データ再生装置１０1 ，１０2 において、コンパレータ回路１０４1 ，１０４2 はそれぞれ、ＥＱ回路１０２1 ，１０２2 により等化されたＲＦ信号を所定の閾値と比較し、ディジタル形式の信号Ｓ１０４1 ，Ｓ１０４2 （以下、光学式ディスク装置４（データ再生装置１０1 ，１０2 等）の「構成部分ｘ」が出力する信号を「信号Ｓｘ」とも記す）に変換し、データラッチ回路１０６1 ，１０６2 および同期信号生成回路１０８1 ，１０８2 に対して出力する。
【００３７】
同期信号生成回路１０８1 ，１０８2 はそれぞれ、ＰＬＬ回路等から構成されており、ＥＱ回路１０２1 ，１０２2 によりディジタル形式の信号に変換された信号Ｓ１０４1 および内周記録領域２０４用のクロック信号Ｓ１０４2 にそれぞれ同期したクロック信号Ｓ１０８1 ，Ｓ１０８2 を生成し、データラッチ回路１０６1 ，１０６2 およびＦＩＦＯ回路１１２1 ，１１２2 ，１１４1 ，１１４2 およびレーザーパワーコントロール回路４０６に対して出力する。
【００３８】
データラッチ回路１０６1 ，１０６2 はそれぞれ、同期信号生成回路１０８1 ，１０８2 から入力されたクロック信号Ｓ１０８1 ，Ｓ１０８2 に同期してコンパレータ回路１０４1 ，１０４2 から入力された信号Ｓ１０４1 ，Ｓ１０４2 をラッチし、復号回路１１０1 ，１１０2 に対して出力する。
同期信号生成回路１０８1 ，１０８2 はそれぞれ、データラッチ回路１０６1 ，１０６2 によりラッチされたデータから記録データを復号し、ＦＩＦＯ回路１１２1 ，１１２2 ，１１４1 ，１１４2 に対して出力する。
【００３９】
ＦＩＦＯ回路１１２1 ，１１４1 およびＦＩＦＯ回路１１２2 ，１１４2 はそれぞれダブルバッファを構成し、それぞれ復号回路１１０1 ，１１０2 により復号された記録データを交互にバッファリングし、ＦＩＦＯ回路１１２1 ，１１４1 およびＦＩＦＯ回路１１２2 ，１１４2 の間でタイミングを揃えてＥＣＣ処理回路１４に対して記録データＳ１０1 ，Ｓ１０2 を出力する。
【００４０】
データ出力回路２０において、クロック生成回路１２は、データ再生装置１０1 ，１０2 （ＦＩＦＯ回路１１２1 ，１１２2 ，１１４1 ，１１４2 ）から入力された記録データを誤り訂正処理（ＥＣＣ処理）および出力するタイミングを規定するクロック信号Ｓ１２を生成し、ＥＣＣ処理回路１４に対して出力する。
【００４１】
ＥＣＣ処理回路１４は、クロック生成回路１２から入力されたクロック信号Ｓ１２に同期して、データ再生装置１０1 ，１０2 （ＦＩＦＯ回路１１２1 ，１１２2 ，１１４1 ，１１４2 ）から入力された記録データＳ１０1 ，Ｓ１０2 に含まれるＥＣＣ符号を用いて誤り訂正処理を行い、記録データＳ１０1 ，Ｓ１０2 を多重化し、シリアル形式の記録データＳ１４としてシリアル／パラレル変換回路１６に対して出力する。
【００４２】
シリアル／パラレル変換回路１６は、シリアル形式で入力された記録データＳ１６をシリアル／パラレル変換し、パラレル形式の記録データＳ１６としてＳＣＳＩコントローラ１８に対して出力する。
ＳＣＳＩコントローラ１８は、ＳＣＳＩプロトコルに従って、クロック信号Ｓ１２に同期して記録データを外部に対して出力する。
【００４３】
以下、図１および図２を参照して、光学式ディスク装置４（データ再生装置１）の記録データ再生の動作を説明する。
スピンドルモータ４５０は光磁気ディスク２を回転させる。
リニアモータ４４０は、光磁気ディスク２（外周記録領域２０２および内周記録領域２０４）の目的の位置にヘッド可動部４４1 ，４４2 を移動させ、シーク動作を実行する。
【００４４】
レーザーパワーコントロール回路４０６は、ＨＦ重畳回路４２４を介して光ヘッド固定部４２1 ，４２2 それぞれのレーザーダイオード４２６を制御し、光磁気ディスク２（外周記録領域２０２および内周記録領域２０４）にレーザー光を照射させる。
光磁気ディスク２（外周記録領域２０２および内周記録領域２０４）で反射され、記録信号を含むレーザー光は光ヘッド固定部４２1 ，４２2 それぞれのフォトダイオード４２２で検出され、電気的なＲＦ信号に変換され、ＲＦ回路４０４1 ，４０４2 に対して出力される。
【００４５】
ＲＦ回路４０４1 ，４０４2 はそれぞれ、光ヘッド固定部４２1 ，４２2 から入力された外周記録領域２０２および内周記録領域２０４のＲＦ信号それぞれを増幅し、等化処理し、データ再生装置１０1 ，１０2 に対して出力する。
データ再生装置１０1 ，１０2 において、コンパレータ回路１０４1 ，１０４2 はそれぞれ、ＲＦ回路４０４1 ，４０４2 から入力されたＲＦ信号をディジタル形式の信号Ｓ１０４1 ，Ｓ１０４2 に変換する。
一方、同期信号生成回路１０８1 ，１０８2 はそれぞれ、信号Ｓ１０４1 ，Ｓ１０４2 に同期したクロック信号Ｓ１０８1 ，Ｓ１０８2 を生成する。
【００４６】
データラッチ回路１０６1 ，１０６2 は、クロック信号Ｓ１０８1 ，Ｓ１０８2 に同期してディジタル形式に変換された記録信号を保持（ラッチ）し、復号回路１１０1 ，１１０2 に対して出力する。
復号回路１１０1 ，１１０2 は、それぞれデータラッチ回路１０６1 ，１０６2 に保持された記録信号を、例えばＲＬＬ（１，７）復号して記録データを再生する。
【００４７】
ＦＩＦＯ回路１１２1 ，１１４1 およびＦＩＦＯ回路１１２2 ，１１４2 はそれぞれ、クロック信号Ｓ１０８1 ，Ｓ１０８2 に同期して交互に再生された記録データを取り込んでバッファリングし、データ再生装置１０1 ，１０2 の間で出力するタイミングを合わせて記録データＳ１０1 ，Ｓ１０2 をデータ出力回路２０に対して出力する。
データ出力回路２０において、クロック生成回路１２は、クロック信号Ｓ１２を生成する。ＥＣＣ処理回路１４、シリアル／パラレル変換回路１６およびＳＣＳＩコントローラ１８は、クロック信号Ｓ１２に同期して動作し、入力された記録データＳ１０1 ，Ｓ１０2 に対して誤り訂正を行い、ＳＣＳＩプロトコルに従って外部に対して出力する。
【００４８】
以上述べたように、本発明に係る光学式ディスク装置４（データ再生装置１）によれば、光磁気ディスク２を径方向に分割した外周記録領域２０２および内周記録領域２０４それぞれに対応する複数の光学系（光ヘッド固定部４２1 ，４２2 およびヘッド可動部４４1 ，４４2 ）を用いて記録データの再生することができる。
【００４９】
従って、光学式ディスク装置４（データ再生装置１）によれば、光磁気ディスク２の記録領域全体を１つの記録領域として取り扱う場合に比べて、ヘッド可動部４４1 ，４４2 のシーク時間を約１／２に短くすることができる。
また、光学式ディスク装置４（データ再生装置１）は、２組の光ヘッド固定部４２1 ，４２2 およびヘッド可動部４４1 ，４４2 を用いて光磁気ディスク２から記録データを読み出すので、ヘッドを１組だけ用いて記録データを再生する場合に比べて、データレートを約２倍にすることができる。
【００５０】
また、光学式ディスク装置４（データ再生装置１）において、データ再生装置１０1 ，１０2 は、それぞれ同期信号生成回路１０８1 ，１０８2 により独立してクロック信号Ｓ１０８1 ，Ｓ１０８2 を生成し、ダブルバッファ構成のＦＩＦＯ回路１１２1 ，１１２2 ，１１４1 ，１１４2 によりバッファリングを行い、記録データＳ１０1 ，Ｓ１０2 をＥＣＣ処理回路１４に供給するタイミングを合わせるので、例えば、図５に示すように、外周記録領域２０２および内周記録領域２０４で記録データの記録位置が揃っておらず、従って、復号回路１１０1 ，１１０2 から異なるタイミングで記録データが復号され、出力される場合にも対応することができる。
【００５１】
なお、光磁気ディスク２をさらに径方向に、３個以上の記録領域に分割して用い、増やした記録領域ごとに光ヘッド固定部、ヘッド可動部、ＲＦ回路およびデータ再生装置を増設して、よりシークタイムを短くし、再生する記録データのデータレートを高めるように光学式ディスク装置４（データ再生装置１）を構成してもよい。
【００５２】
また、光学式ディスク装置４（データ再生装置１）は、光磁気ディスクに限らず、追記型光ディスク等の他の形式の光学式記録媒体に応用することが可能である。
また、光学式ディスク装置４（データ再生装置１）の各構成部分は、同一の機能および性能を実現可能な限り、ソフトウェア的に構成するか、ハードウェア的に構成するかを問わない。
【００５３】
第２実施形態
以下、本発明の第２の実施の形態を説明する。
図６は、第２の実施形態において、図１に示した光学式ディスク装置４が光磁気ディスク２から記録データを再生する際に用いられる主要な構成部分の構成を示す図である。
【００５４】
第２の実施形態において、光磁気ディスク２から記録データを再生する際には、図２に示したデータ再生装置１のデータ再生装置１０1 からＦＩＦＯ回路１１４1 を除いたデータ再生装置４０1 、データ再生装置１のデータ再生装置１０2 から同期信号生成回路１０８2 およびＦＩＦＯ回路１１４2 を除いたデータ再生装置４０2 、および、データ再生装置１のデータ出力回路２０のクロック生成回路１２の代わりに、クロック生成回路２４を用いたデータ出力回路２２が動作する。
【００５５】
なお、以下、図６に示した構成部分をデータ再生装置３と記す。また、データ再生装置１の構成部分と同一の符号を付して示したデータ再生装置３の構成部分は同一の機能を有し、同一の動作を行う。
第２の実施形態において、光学式ディスク装置４（データ再生装置３）は、これらの構成部分により、図７に示すように、光磁気ディスク２の外周記録領域２０２および内周記録領域２０４に記録位置を揃えて記録データを記録し、記録した記録データを再生する。
【００５６】
図８は、図６に示したクロック生成回路２４の構成を示す図である。
図８に示すように、クロック生成回路２４は、発振回路（ＯＳＣ）１２０、スイッチ回路１３４、発振回路１３２、分周回路１２２、電圧制御発振回路（ＶＣＯ）１２４、分周回路１２６、位相比較回路１２８およびローパスフィルタ回路１３０から構成される。
なお、図８には、外周記録領域２０２に対して記録データの記録・再生を行う場合のクロック信号Ｓ２４ｃが４６．９０２２４ＭＨｚであり、内周記録領域２０４に対して記録データの記録・再生を行う場合のクロック信号Ｓ２４ｂが３２．１１４８８ＭＨｚである場合が例示してある。
【００５７】
発振回路１２０は、例えば４６．９０２２ＭＨｚのクロック信号を生成し、スイッチ回路１３４に対して出力する。
スイッチ回路１３４は、例えばシステムコントロール回路４０８（図１）により制御され、光磁気ディスク２に記録データを記録する場合には、発振回路１２０が生成したクロック信号を選択し、記録データを再生する場合には、データ再生装置４０1 の同期信号生成回路１０８1 から入力されるクロック信号Ｓ１０８1 を選択し、外周記録領域２０２に記録データを記録する際に用いられるクロック信号Ｓ２４ｃとして分周回路１２２、レーザーパワーコントロール回路４０６（図１）およびデータ再生装置４０1 に対して出力する。
【００５８】
発振回路１３２は、例えばＰＬＬ回路等から構成され、スイッチ回路１３４が出力するクロック信号に同期したクロック信号Ｓ２４ａ（＞４６．９０２２ＭＨｚ＋３２．１１４８８ＭＨｚ）を生成し、ＥＣＣ処理回路１４等に対して出力する。
分周回路１２２は、スイッチ回路１３４が出力するクロック信号を、例えば１／５１７分周する。
【００５９】
分周回路１２６は、電圧制御発振回路１２４が生成したクロック信号Ｓ２４ｂを１／３５４記録領域２０４に対する記録データの記録および再生に用いられるクロック信号Ｓ２４ｂとして分周回路１２６およびデータ再生装置４０2 に対して出力する。
位相比較回路１２８は、分周回路１２２，１２６の出力信号の位相差を検出する。
ローパスフィルタ回路１３０は、位相比較回路１２８による位相比較の結果として得られた信号の高周波成分を取り除き、電圧制御発振回路１２４に対して制御信号として出力する。
【００６０】
クロック生成回路２４は、一種のＰＬＬ回路を構成し、データ再生装置４０1 が外周記録領域２０２からデータを再生する場合に同期信号生成回路１０８1 が生成するクロック信号Ｓ１０８1 、または、外周記録領域２０２に記録データを記録する際に用いられるクロック信号Ｓ２４ｃに同期し、ＥＣＣ処理回路１４、シリアル／パラレル変換回路１６およびＳＣＳＩコントローラ１８（図１）に供給されるクロック信号Ｓ２４ａを生成し、供給する。
また、クロック生成回路２４は、クロック信号Ｓ２４ａと同様に、クロック信号Ｓ１０８1 またはクロック信号Ｓ２４ｃに同期し、データ再生装置４０2 のＦＩＦＯ回路１１２2 等で、データ再生装置１（図２）におけるクロック信号Ｓ１０８2 の代わりに用いられるクロック信号Ｓ２４ｂを生成し、供給する。
【００６１】
以下、データ再生装置３を適用した光学式ディスク装置４（図１）の動作を説明する。
まず、光学式ディスク装置４が光磁気ディスク２（外周記録領域２０２および内周記録領域２０４）に記録データを記録する場合の動作を説明する。
この場合、クロック生成回路２４のスイッチ回路１３４（図８）は、発振回路１２０が生成したクロック信号を選択し、クロック信号Ｓ２４ｃとしてレーザーパワーコントロール回路４０６に対して出力する。また、クロック生成回路２４の電圧制御発振回路１２４は、クロック信号Ｓ２４ｃに同期したＳ２４ｂを生成し、レーザーパワーコントロール回路４０６に対して出力する。
【００６２】
システムコントロール回路４０８（図１）は、ＳＣＳＩコントローラ１８を介して外部から入力されてきた記録データをシステムコントロール回路４０８に対して出力する。
システムコントロール回路４０８は、外周記録領域２０２に記録する記録データを記録信号に変換し、クロック信号Ｓ２４ｃに同期してＨＦ重畳回路４２４、光ヘッド固定部４２1 およびヘッド可動部４４1 を介して光磁気ディスク２の外周記録領域２０２に記録する。
【００６３】
また、外周記録領域２０２に対する記録データの記録と平行して、システムコントロール回路４０８は、内周記録領域２０４に記録する記録データを記録信号に変換し、クロック信号Ｓ２４ｂに同期してＨＦ重畳回路４２４、光ヘッド固定部４２2 およびヘッド可動部４４2 を介して光磁気ディスク２の内周記録領域２０４に記録する。
このように、いずれも発振回路１２０が出力するクロック信号に同期しているクロック信号Ｓ２４ｃ，Ｓ２４ｂに同期して外周記録領域２０２および内周記録領域２０４に対して記録データを記録するので、図７に示すように、外周記録領域２０２と内周記録領域２０４の記録データの記録位置が揃えられる。
【００６４】
次に、データ再生装置３を適用した光学式ディスク装置４（データ再生装置３）が記録データを、図７に示したように光磁気ディスク２（外周記録領域２０２および内周記録領域２０４）から再生する際の動作を説明する。
この場合、クロック生成回路２４のスイッチ回路１３４（図８）は、同期信号生成回路１０８1 が生成したクロック信号Ｓ１０８1 を選択し、クロック信号Ｓ２４ｃとしてレーザーパワーコントロール回路４０６、データラッチ回路１０６1 およびＦＩＦＯ回路１１２1 に対して出力する。
【００６５】
光磁気ディスク２（外周記録領域２０２および内周記録領域２０４）で反射され、記録信号を含むレーザー光は光ヘッド固定部４２1 ，４２2 それぞれのフォトダイオード４２２で検出され、電気的なＲＦ信号に変換され、ＲＦ回路４０４1 ，４０４2 に対して出力される。
【００６６】
ＲＦ回路４０４1 ，４０４2 はそれぞれ、光ヘッド固定部４２1 ，４２2 から入力された外周記録領域２０２および内周記録領域２０４のＲＦ信号それぞれを増幅し、等化処理し、データ再生装置４０1 ，４０2 に対して出力する。
データ再生装置４０1 ，４０2 において、コンパレータ回路１０４1 ，１０４2 はそれぞれ、ＲＦ回路４０４1 ，４０４2 から入力されたＲＦ信号をディジタル形式の信号Ｓ１０４1 ，Ｓ１０４2 に変換する。
【００６７】
一方、同期信号生成回路１０８1 は、信号Ｓ１０４1 に同期したクロック信号Ｓ１０８1 を生成し、データラッチ回路１０６1 、ＦＩＦＯ回路１１２1 およびクロック生成回路２４に対して出力する。
クロック生成回路２４の電圧制御発振回路１２４は、クロック信号Ｓ１０８1 （Ｓ２４ｃ）に同期したＳ２４ｂを生成し、レーザーパワーコントロール回路４０６、データ再生装置４０2 のデータラッチ回路１０６2 およびＦＩＦＯ回路１１２2 に対して出力する。
【００６８】
データラッチ回路１０６1 ，１０６2 はそれぞれ、クロック信号Ｓ１０８1 およびクロック信号Ｓ２４ｂに同期してディジタル形式に変換された記録信号を保持し、復号回路１１０1 ，１１０2 に対して出力する。
復号回路１１０1 ，１１０2 は、それぞれデータラッチ回路１０６1 ，１０６2 に保持された記録信号を復号して記録データを再生する。
【００６９】
ＦＩＦＯ回路１１２1 およびＦＩＦＯ回路１１２2 はそれぞれ、クロック信号Ｓ１０８1 およびクロック信号Ｓ２４ｂに同期して再生された記録データを取り込んでバッファリングし、出力する。
データ出力回路２０において、ＥＣＣ処理回路１４、シリアル／パラレル変換回路１６およびＳＣＳＩコントローラ１８は、クロック信号Ｓ２４ａに同期して動作し、入力された記録データＳ４０1 ，Ｓ４０2 に対して誤り訂正を行い、ＳＣＳＩプロトコルに従って外部に対して出力する。
なお、以上の光学式ディスク装置４（データ再生装置３）の記録データの記録・再生動作の説明においては、説明の簡略化のために、レーザーパワーコントロール回路４０６およびスピンドルモータ４５０等の、記録データ再生のために直接関係ない光学式ディスク装置４の構成部分の動作の説明を省略してある。
【００７０】
上述のように外周記録領域２０２と内周記録領域２０４との間で記録位置を揃えて記録データを記録し、記録した記録データを再生すると、外周記録領域２０２からの記録信号と内周記録領域２０４からの記録信号とのタイミングは、読み出した段階で既に合っている。
【００７１】
従って、光磁気ディスク２（外周記録領域２０２および内周記録領域２０４）に記録された記録信号から記録データを光学式ディスク装置４（データ再生装置３）により再生すると、データ再生装置１（図２）のデータ再生装置１０1 ，１０2 のようにＦＩＦＯ回路をダブルバッファ構成として、ＦＩＦＯ回路で外周記録領域２０２および内周記録領域２０４から再生した記録データのタイミングを合わせなくて済む。
【００７２】
従って、光学式ディスク装置４（データ再生装置３）によれば、光磁気ディスク２に設けた複数の記録領域それぞれに対応する複数の光学系を用い、異なる周波数のクロック信号を用いてデータの記録・再生を行うにもかかわらず、複数の記録領域それぞれから記録したデータを読み出すタイミングの同期をとる必要がなく、しかも、再生した記録データに対する誤り訂正処理等を簡単に行うことができる。
なお、データ再生装置３に対しても、データ再生装置１（図２）に対してと同様な変形が可能である。
【００７３】
【発明の効果】
以上述べたように、本発明に係るデータ再生装置によれば、光学式ディスクの記録領域全体を１つの記録領域として取り扱う場合に比べて、光学式ディスクに対するシークタイムを短くすることができる。
また、本発明に係るデータ再生装置によれば、１組の光学系のみを用いる場合に比べて、より高いデータレートで光学式ディスクからデータを読み出すことができる。
【００７４】
また、本発明に係るデータ再生装置およびデータ記録方法によれば、光学式ディスクの複数の記録領域それぞれに対して異なる周波数でありながら、同期がとれたクロック信号を用いてデータの記録し、複数の記録領域間で記録位置を揃えてデータを記録することができ、複数の記録領域それぞれから同期したタイミングでデータを読み出すことができる。
また、本発明に係るデータ再生装置およびデータ記録方法によれば、複数のクロック信号を光学式ディスクの複数の記録領域それぞれを用いてデータを再生しても、誤り訂正処理等を複雑化することがない。
【図面の簡単な説明】
【図１】第１の実施例における本発明に係る光学式ディスク装置の構成を示す図である。
【図２】図１に示した光学式ディスク装置が光磁気ディスクから記録データを再生する際に用いられる主要な構成部分（第１のデータ再生装置）の構成を示す図である。
【図３】図１および図２に示した光磁気ディスクに設けられた外周記録領域および内周記録領域を示す図である。
【図４】図３に示した光磁気ディスクのトラックに設けられたセクタａの構成を示す図である。
【図５】図１および図２に示した光磁気ディスクの外周記録領域および内周記録領域に記録された記録データの記録位置を示す図である。
【図６】第２の実施形態において、図１に示した光学式ディスク装置が光磁気ディスクから記録データを再生する際に用いられる主要な構成部分の構成を示す図である。
【図７】本発明に係るデータ記録方法により光磁気ディスクの外周記録領域および内周記録領域に記録された記録データの記録位置を示す図である。
【図８】図６に示したクロック生成回路の構成を示す図である。
【符号の説明】
４…光学式ディスク装置、２…光磁気ディスク、２０２…外周記録領域、２０４…内周記録領域、１０1 ，１０2 ，４０1 ，４０2 …データ再生装置、１０４1 ，１０４2 …コンパレータ回路、１０６1 ，１０６2 …データラッチ回路、１０８1 ，１０８2 …同期信号生成回路、１１０1 ，１１０2 …復号回路１、１１２1 ，１１２2 ，１１４1 ，１１４2 …ＦＩＦＯ回路、２０，２２…データ出力回路、１２，２４…クロック生成回路、１２０…発振回路、１２２，１２６…分周回路、１２４…電圧制御発振回路、１２８…位相比較回路、１３０…ローパスフィルタ回路、１３２…発振回路、１４…ＥＣＣ処理回路、１６…シリアル／パラレル変換回路、１８…ＳＣＳＩコントローラ、４０６…レーザーパワーコントロール回路、４０８…システムコントロール回路、４５０…スピンドルモータ、４５２…トラッキングサーボ回路、４５４…フォーカスサーボ回路、４５６…ラジアルサーボ回路、４５８…ディスクサーボ回路、４２1 ，４２2 …光ヘッド固定部、４２０…プリアンプ、４２２…フォトダイオード、４２４…ＨＦ重畳回路、４２６…レーザーダイオード、４４1 ，４４2 …ヘッド可動部、４４０…リニアモータ、４４２…光学系
【図１】
0003806955.tif 000002
【図２】
0003806955.tif 000003
【図３】
0003806955.tif 000004
【図４】
0003806955.tif 000005
【図５】
0003806955.tif 000006
【図６】
0003806955.tif 000007
【図７】
0003806955.tif 000008
【図８】
0003806955.tif 000009